(57)【特許請求の範囲】
【請求項１】
通行を許可または禁止するゲートを備え、利用者の所持する非接触媒体から読み取ったデータに基づいて通行可否の判定を行い、当該判定結果に基づいて前記ゲートを制御するゲートシステムにおいて、
ゲートに設けられ、前記ゲートの通路に第１の通信領域を形成し、この第１の通信領域内で当該ゲートを通過する利用者の非接触媒体と通信を行って、非接触媒体に記録されている識別情報および改札情報を受信する第１の通信手段、
ゲートと分離して設けられ、利用者の進行方向に向ってゲートより前方に第１の通信領域よりも広い第２の通信領域を形成し、この第２の通信領域内でゲートを通過した複数の利用者の各非接触媒体と通信を行って、各非接触媒体に記録されている識別情報を受信する第２の通信手段、
前記第１の通信手段で受信した改札情報に基づいて、ゲートにおける通行の可否を判定する判定手段、
前記判定手段により通行可と判定された非接触媒体の識別情報と、当該非接触媒体に書き込んで更新すべき改札情報とを関連付けて記憶する記憶手段、
前記第２の通信手段で受信した識別情報と前記記憶手段に記憶された識別情報とが一致した場合に、当該識別情報に対応する非接触媒体の改札情報を、前記識別情報と関連付けられた更新すべき改札情報に更新する更新手段、
を備えたことを特徴とするゲートシステム。
【請求項２】
通行を許可または禁止するゲートを備え、利用者の所持する非接触媒体から読み取ったデータに基づいて通行可否の判定を行い、当該判定結果に基づいて前記ゲートを制御するゲートシステムにおいて、
ゲートに設けられ、前記ゲートの通路に第１の通信領域を形成し、この第１の通信領域内で当該ゲートを通過する利用者の非接触媒体と通信を行って、非接触媒体に記録されている識別情報を受信する第１の通信手段、
ゲートと分離して設けられ、利用者の進行方向に向ってゲートより前方に第１の通信領域よりも広い第２の通信領域を形成し、この第２の通信領域内でゲートを通過した複数の利用者の各非接触媒体と通信を行って、各非接触媒体に記録されている識別情報を受信する第２の通信手段、
ゲートと分離して設けられ、利用者の進行方向に向ってゲートより手前に第１の通信領域よりも広い第３の通信領域を形成し、この第３の通信領域内でゲートへ進入する複数の利用者の各非接触媒体と通信を行って、各非接触媒体に記録されている識別情報および改札情報を受信する第３の通信手段、
前記第３の通信手段で受信した改札情報に基づいて、ゲートにおける通行の可否を判定する判定手段、
前記判定手段により通行可と判定された非接触媒体の識別情報と、当該非接触媒体に書き込んで更新すべき改札情報とを関連付けて記憶する記憶手段、
前記第２の通信手段で受信した識別情報と前記記憶手段に記憶された識別情報とが一致した場合に、当該識別情報に対応する非接触媒体の改札情報を、前記識別情報と関連付けられた更新すべき改札情報に更新する更新手段、
を備えたことを特徴とするゲートシステム。
【請求項３】
通行を許可または禁止するゲートを備え、利用者の所持する非接触媒体から読み取ったデータに基づいて通行可否の判定を行い、当該判定結果に基づいて前記ゲートを制御するゲートシステムにおいて、
前記ゲートは、入場用ゲートと出場用ゲートとから構成され、
前記入場用ゲートおよび出場用ゲートに設けられ、これらのゲートの各通路にそれぞれ第１の通信領域を形成し、この第１の通信領域内で当該ゲートを通過する利用者の非接触媒体と通信を行って、非接触媒体に記録されている識別情報を受信する第１の通信手段、
前記入場用ゲートおよび出場用ゲートと分離して設けられ、入場用ゲートの出口付近および出場用ゲートの入口付近にまたがって、第１の通信領域よりも広い第２の通信領域を形成し、この第２の通信領域内で入場用ゲートを通過した複数の利用者の各非接触媒体と通信を行って、各非接触媒体に記録されている識別情報を受信するとともに、当該第２の通信領域内で出場用ゲートへ進入する複数の利用者の各非接触媒体と通信を行って、各非接触媒体に記録されている識別情報および改札情報を受信する第２の通信手段、
前記入場用ゲートおよび出場用ゲートと分離して設けられ、入場用ゲートの入口付近および出場用ゲートの出口付近にまたがって、第１の通信領域よりも広い第３の通信領域を形成し、この第３の通信領域内で入場用ゲートへ進入する複数の利用者の各非接触媒体と通信を行って、各非接触媒体に記録されている識別情報および改札情報を受信するとともに、当該第３の通信領域内で出場用ゲートを通過した複数の利用者の各非接触媒体と通信を行って、各非接触媒体に記録されている識別情報を受信する第３の通信手段、
前記第３の通信手段で受信した改札情報に基づいて入場用ゲートにおける通行の可否を判定し、前記第２の通信手段で受信した改札情報に基づいて出場用ゲートにおける通行の可否を判定する判定手段、
前記判定手段により通行可と判定された非接触媒体の識別情報と、当該非接触媒体に書き込んで更新すべき改札情報とを関連付けて記憶する記憶手段、
前記第２の通信手段で受信した識別情報と前記記憶手段に記憶された識別情報とが一致した場合に、入場用ゲートを通過した利用者の当該識別情報に対応する非接触媒体の改札情報を、前記識別情報と関連付けられた更新すべき改札情報に更新し、前記第３の通信手段で受信した識別情報と前記記憶手段に記憶された識別情報とが一致した場合に、出場用ゲートを通過した利用者の当該識別情報に対応する非接触媒体の改札情報を、前記識別情報と関連付けられた更新すべき改札情報に更新する更新手段、
を備えたことを特徴とするゲートシステム。
【請求項４】
請求項１ないし請求項３のいずれかに記載のゲートシステムにおいて、
前記第１の通信手段以外の通信手段は、ゲートより上方に配備されており、下方に向かって末広がりの通信領域を形成することを特徴とするゲートシステム。
【発明の詳細な説明】
【技術分野】
【０００１】
本発明は、非接触媒体から読み取ったデータに基づいて通行を許可または禁止するゲートシステムに関する。
【背景技術】
【０００２】
通行を許可または禁止するゲートを備え、利用者の所持する非接触媒体から読み取ったデータに基づいて通行可否の判定を行い、当該判定結果に基づいてゲートを制御するゲートシステムは、例えば後掲の特許文献１に記載されている。この特許文献１においては、各ゲートに共通の広い通信領域と、ゲートごとに設けられた狭い通信領域とを設け、通行者がゲートに進入する前に、広い通信領域で通行者の非接触媒体（無線端末）から受信した信号に基づいて、非接触媒体に対する処理を予め決定しておき、通行者がゲート内の狭い通信領域に進入すると、非接触媒体に対して予め決定されていた処理を実行することで、処理を迅速に行えるようにしている。特許文献２にも、これと同様の技術が開示されている。
【０００３】
しかしながら、特許文献１や特許文献２の装置では、ゲートごとに設けられた通信領域をごく狭い範囲に絞らないと、ゲートを通過する意思のない者（例えば、ゲートの傍を通り過ぎるだけの者）が所持する非接触媒体がたまたま通信領域内に入った場合に、その非接触媒体と通信をしてしまい、当該媒体に記録されている情報を誤って書き換えてしまう虞がある。一方、上記通信領域をあまり狭く絞りすぎると、今度は逆に、利用者の所持する非接触媒体との通信が適正に行なわれなくなる虞がある。このため、特許文献１および特許文献２の装置は、安定性や信頼性の点で問題を残している。
【０００４】
一方、後掲の特許文献３には、通信範囲を近傍に絞った第１のアンテナと、通信範囲を絞っていない第２のアンテナとを設け、固有情報と乗車券情報を有する携帯電話を第１のアンテナにかざすことにより情報のやり取りを行い、その後、固有情報に基づいて携帯電話を特定することにより、第２のアンテナにより携帯電話と情報のやり取りが行えるようにした自動改札装置が記載されている。
【０００５】
また、後掲の特許文献４には、第１の狭い通信領域と第２の広い通信領域とに切り替え可能な通信手段を備え、第１の通信領域で乗客が所持する非接触媒体から改札情報を受信したときに、通信領域を第１の通信領域から第２の通信領域に切り替えて、非接触媒体へ改札済み情報を送信することによって、混信を伴うことなく改札処理を適正かつ円滑に行えるようにした自動改札装置が記載されている。
【０００６】
【特許文献１】特開２００３−５８９２０号公報
【特許文献２】特開２００３−１９６６８６号公報
【特許文献３】特開２００２−３１９０４９号公報
【特許文献４】特許第２６２５６３１号公報
【発明の開示】
【発明が解決しようとする課題】
【０００７】
特許文献３の自動改札装置によれば、非接触媒体である携帯電話との一対一の対応を取ることができるとともに、携帯電話が第１のアンテナと通信できなくても、第２のアンテナと通信を行って乗降情報の書き換えを行うことができる。しかしながら、特許文献３のものでは、第２のアンテナを個々の自動改札機に対して設ける必要があるため、自動改札機の構成が複雑となり、改札機の数が多くなるとアンテナの数が増大してコスト高になるという問題がある。また、特許文献４のものでは、第２の通信領域における通信が完了しないと通行可否の判定ができないので、処理に時間がかかるという問題がある。
【０００８】
そこで、本発明の目的は、コストを抑制しつつ正確で迅速な処理を行うことが可能なゲートシステムを提供することにある。
【課題を解決するための手段】
【０００９】
第１の発明では、通行を許可または禁止するゲートを備え、利用者の所持する非接触媒体から読み取ったデータに基づいて通行可否の判定を行い、当該判定結果に基づいてゲートを制御するゲートシステムにおいて、第１の通信手段、第２の通信手段、判定手段、記憶手段および更新手段を備える。第１の通信手段は、ゲートに設けられ、ゲートの通路に第１の通信領域を形成し、この第１の通信領域内で当該ゲートを通過する利用者の非接触媒体と通信を行って、非接触媒体に記録されている識別情報および改札情報を受信する。第２の通信手段は、ゲートと分離して設けられ、利用者の進行方向に向ってゲートより前方に第１の通信領域よりも広い第２の通信領域を形成し、この第２の通信領域内でゲートを通過した複数の利用者の各非接触媒体と通信を行って、各非接触媒体に記録されている識別情報を受信する。判定手段は、第１の通信手段で受信した改札情報に基づいて、ゲートにおける通行の可否を判定する。記憶手段は、判定手段により通行可と判定された非接触媒体の識別情報と、当該非接触媒体に書き込んで更新すべき改札情報とを関連付けて記憶する。更新手段は、第２の通信手段で受信した識別情報と記憶手段に記憶された識別情報とが一致した場合に、当該識別情報に対応する非接触媒体の改札情報を、識別情報と関連付けられた更新すべき改札情報に更新する。
【００１０】
第１の発明においては、ゲート通過時には、第１の通信手段が読み取った非接触媒体の改札情報に基づいてゲートの通行可否だけを判定し、改札情報の更新は、ゲート通過後に、当該非接触媒体の識別情報を第２の通信手段で読み取って照合することに基づいて行うようにしている。このため、第１の通信領域においてゲートを通過する意思のない利用者の非接触媒体と通信が行われたとしても、利用者がゲートを通過しない限り改札情報の更新は行われないので、誤って改札情報が更新されるのを未然に防止することができる。また、第１の発明では、第２の通信領域が、ゲートを通過した複数の利用者の各非接触媒体から識別情報を受信できるように第１の通信領域より広くなっており、かつ、通行可と判定された非接触媒体の識別情報と、更新すべき改札情報とが関連付けて記憶されていることから、ゲートの数が多くなっても第２の通信手段は１つ（もしくは数個）設けるだけでよく、各ゲートに第２の通信手段を個別に設ける必要がないので、コストを抑制して安価に実現することができる。さらに、第１の発明では、改札情報の更新処理を待つことなく、ゲートでの通行許可または通行禁止の処理を前倒しで行えるので、迅速な処理が可能となる。
【００１１】
第２の発明では、通行を許可または禁止するゲートを備え、利用者の所持する非接触媒体から読み取ったデータに基づいて通行可否の判定を行い、当該判定結果に基づいて前記ゲートを制御するゲートシステムにおいて、第１の通信手段、第２の通信手段、第３の通信手段、判定手段、記憶手段および更新手段を備える。第１の通信手段は、ゲートに設けられ、ゲートの通路に第１の通信領域を形成し、この第１の通信領域内で当該ゲートを通過する利用者の非接触媒体と通信を行って、非接触媒体に記録されている識別情報を受信する。第２の通信手段は、ゲートと分離して設けられ、利用者の進行方向に向ってゲートより前方に第１の通信領域よりも広い第２の通信領域を形成し、この第２の通信領域内でゲートを通過した複数の利用者の各非接触媒体と通信を行って、各非接触媒体に記録されている識別情報を受信する。第３の通信手段は、ゲートと分離して設けられ、利用者の進行方向に向ってゲートより手前に第１の通信領域よりも広い第３の通信領域を形成し、この第３の通信領域内でゲートへ進入する複数の利用者の各非接触媒体と通信を行って、各非接触媒体に記録されている識別情報および改札情報を受信する。判定手段は、第３の通信手段で受信した改札情報に基づいて、ゲートにおける通行の可否を判定する。記憶手段は、判定手段により通行可と判定された非接触媒体の識別情報と、当該非接触媒体に書き込んで更新すべき改札情報とを関連付けて記憶する。更新手段は、第２の通信手段で受信した識別情報と記憶手段に記憶された識別情報とが一致した場合に、当該識別情報に対応する非接触媒体の改札情報を、識別情報と関連付けられた更新すべき改札情報に更新する。
【００１２】
第２の発明においては、ゲートを通過する前に第３の通信手段が読み取った非接触媒体の改札情報に基づいてゲートの通行可否を判定し、ゲート通過時には、第１の通信手段で非接触媒体の識別情報を読み取って、当該識別情報が通行可と判定された非接触媒体の識別情報であればゲートでの通行を許可し、改札情報の更新は、ゲート通過後に、当該非接触媒体の識別情報を第２の通信手段で読み取って照合することに基づいて行うようにしている。このため、第１の通信領域や第３の通信領域においてゲートを通過する意思のない利用者の非接触媒体と通信が行われたとしても、利用者がゲートを通過しない限り改札情報の更新は行われないので、誤って改札情報が更新されるのを未然に防止することができる。また、第２の発明では、第２の通信領域が、ゲートを通過した複数の利用者の各非接触媒体から識別情報を受信できるように第１の通信領域より広くなっているとともに、第３の通信領域も、ゲートへ進入する複数の利用者の各非接触媒体から識別情報および改札情報を受信できるように第１の通信領域より広くなっており、かつ、通行可と判定された非接触媒体の識別情報と、更新すべき改札情報とが関連付けて記憶されていることから、ゲートの数が多くなっても第２および第３の通信手段はぞれぞれ１つ（もしくは数個）設けるだけでよく、各ゲートに第２および第３の通信手段を個別に設ける必要がないので、コストを抑制して安価に実現することができる。さらに、第２の発明では、改札情報の更新処理を待つことなく、ゲートでの通行許可または通行禁止の処理を前倒しで行えるので、迅速な処理が可能となる。
【００１３】
第３の発明では、通行を許可または禁止するゲートを備え、利用者の所持する非接触媒体から読み取ったデータに基づいて通行可否の判定を行い、当該判定結果に基づいてゲートを制御するゲートシステムにおいて、第１の通信手段、第２の通信手段、第３の通信手段、判定手段、記憶手段および更新手段を備える。また、ゲートは入場用ゲートと出場用ゲートとから構成される。第１の通信手段は、入場用ゲートおよび出場用ゲートに設けられ、これらのゲートの各通路にそれぞれ第１の通信領域を形成し、この第１の通信領域内で当該ゲートを通過する利用者の非接触媒体と通信を行って、非接触媒体に記録されている識別情報を受信する。第２の通信手段は、入場用ゲートおよび出場用ゲートと分離して設けられ、入場用ゲートの出口付近および出場用ゲートの入口付近にまたがって、第１の通信領域よりも広い第２の通信領域を形成し、この第２の通信領域内で入場用ゲートを通過した複数の利用者の各非接触媒体と通信を行って、各非接触媒体に記録されている識別情報を受信するとともに、当該第２の通信領域内で出場用ゲートへ進入する複数の利用者の各非接触媒体と通信を行って、各非接触媒体に記録されている識別情報および改札情報を受信する。第３の通信手段は、入場用ゲートおよび出場用ゲートと分離して設けられ、入場用ゲートの入口付近および出場用ゲートの出口付近にまたがって、第１の通信領域よりも広い第３の通信領域を形成し、この第３の通信領域内で入場用ゲートへ進入する複数の利用者の各非接触媒体と通信を行って、各非接触媒体に記録されている識別情報および改札情報を受信するとともに、当該第３の通信領域内で出場用ゲートを通過した複数の利用者の各非接触媒体と通信を行って、各非接触媒体に記録されている識別情報を受信する。判定手段は、第３の通信手段で受信した改札情報に基づいて入場用ゲートにおける通行の可否を判定し、第２の通信手段で受信した改札情報に基づいて出場用ゲートにおける通行の可否を判定する。記憶手段は、判定手段により通行可と判定された非接触媒体の識別情報と、当該非接触媒体に書き込んで更新すべき改札情報とを関連付けて記憶する。更新手段は、第２の通信手段で受信した識別情報と記憶手段に記憶された識別情報とが一致した場合に、入場用ゲートを通過した利用者の当該識別情報に対応する非接触媒体の改札情報を、識別情報と関連付けられた更新すべき改札情報に更新し、第３の通信手段で受信した識別情報と記憶手段に記憶された識別情報とが一致した場合に、出場用ゲートを通過した利用者の当該識別情報に対応する非接触媒体の改札情報を、識別情報と関連付けられた更新すべき改札情報に更新する。
【００１４】
第３の発明においては、入場用ゲートに対しては、ゲートを通過する前に第３の通信手段が読み取った非接触媒体の改札情報に基づいてゲートの通行可否を判定し、ゲート通過時には、第１の通信手段で非接触媒体の識別情報を読み取って、当該識別情報が通行可と判定された非接触媒体の識別情報であればゲートでの通行を許可し、改札情報の更新は、ゲート通過後に、当該非接触媒体の識別情報を第２の通信手段で読み取って照合することに基づいて行うようにしている。また、出場用ゲートに対しては、ゲートを通過する前に第２の通信手段が読み取った非接触媒体の改札情報に基づいてゲートの通行可否を判定し、ゲート通過時には、第１の通信手段で非接触媒体の識別情報を読み取って、当該識別情報が通行可と判定された非接触媒体の識別情報であればゲートでの通行を許可し、改札情報の更新は、ゲート通過後に、当該非接触媒体の識別情報を第３の通信手段で読み取って照合することに基づいて行うようにしている。このため、入場・出場のいずれの場合も、第１、第２または第３の通信領域においてゲートを通過する意思のない利用者の非接触媒体と通信が行われたとしても、利用者がゲートを通過しない限り改札情報の更新は行われないので、誤って改札情報が更新されるのを未然に防止することができる。また、第３の発明では、第２および第３の通信領域が、ゲートに出入する複数の利用者の各非接触媒体から識別情報や改札情報を受信できるように、第１の通信領域より広くなっており、かつ、通行可と判定された非接触媒体の識別情報と、更新すべき改札情報とが関連付けて記憶されていることから、ゲートの数が多くなっても第２および第３の通信手段はぞれぞれ１つ（もしくは数個）設けるだけでよく、各ゲートに第２および第３の通信手段を個別に設ける必要がない。しかも、第２および第３の通信手段は、いずれも、入場用ゲートと出場用ゲートの出入口付近にまたがって第２および第３の通信領域を形成して、ゲート通過前の事前処理（通行可否判定）と、ゲート通過後の事後処理（改札情報更新）の両方を行うので、事前処理用の通信手段と事後処理用の通信手段とを別々に設ける必要もない。このため、コストを抑制して安価に実現することができる。さらに、第３の発明では、改札情報の更新処理を待つことなく、ゲートでの通行許可または通行禁止の処理を前倒しで行えるので、迅速な処理が可能となる。
【発明の効果】
【００１５】
本発明によれば、通信手段の数を少なくしてコストを抑制しつつ、正確で迅速な処理が可能なゲートシステムを提供することができる。
【発明を実施するための最良の形態】
【００１６】
図１は、第１の発明に係るゲートシステムの実施形態を示す概略構成図である。本システムは、通行を許可または禁止するゲート１０と、ゲート１０の出口付近の上方に配備された事後処理通信部２０と、ゲート１０および事後処理通信部２０が接続されたサーバ３０と、利用者Ｐが所持する無線端末４０とから構成される。
【００１７】
ゲート１０は、一対のゲート１０ａ，１０ｂからなり、それぞれには開閉自在な扉１７が設けられている。扉１７が開くことによって利用者Ｐの通行が許可され、扉１７が閉じることによって利用者Ｐの通行が禁止される。ゲート１０ａ，１０ｂにより形成される通路Ｚには、ゲート内に設けられた後述するアンテナによって、第１の通信領域であるエリアＡが形成されている。また、利用者Ｐの進行方向に向ってゲート１０より前方には、事後処理通信部２０に設けられた後述するアンテナによって、第２の通信領域である下方に向かって末広がりのエリアＢが形成されている。エリアＢは、エリアＡよりも広い通信領域を構成している。サーバ３０は、例えば駅の係員室に設置されている。無線端末４０は、チケット機能専用の無線端末であってもよいし、携帯電話機などの既存の携帯端末にチケット機能を持たせたものであってもよい。
【００１８】
図２は、図１のゲートシステムの電気的構成を示したブロック図である。ゲート１０には、サーバ３０と接続するためのインターフェイス１１と、各部の動作を制御するＣＰＵ１２と、データの読み書きを行うためのリードライト部１３と、エリアＡの通信領域（第１の通信領域）を形成するアンテナ１４と、ＲＯＭ・ＲＡＭ等のメモリからなる記憶部１５と、扉１７の開閉を制御する扉制御部１６とが備わっている。なお、リードライト部１３は、実際には読み取りだけを行い書込みは行わない。事後処理通信部２０には、ＲＯＭ・ＲＡＭ等のメモリからなる記憶部２１と、各部の動作を制御するＣＰＵ２２と、データの読み書きを行うためのリードライト部２３と、エリアＢの通信領域（第２の通信領域）を形成するアンテナ２４と、サーバ３０と接続するためのインターフェイス２５とが備わっている。サーバ３０には、識別情報の照合や残額の演算などの処理を行うＣＰＵ３１と、ＲＯＭ・ＲＡＭ等のメモリやハードディスクからなる記憶部３２と、ゲート１０および事後処理通信部２０と接続するためのインターフェイス３３とが備わっている。
【００１９】
以上において、ゲート１０のアンテナ１４は本発明における第１の通信手段の一実施形態を構成し、事後処理通信部２０のアンテナ２４は本発明における第２の通信手段の一実施形態を構成し、ゲート１０のＣＰＵ１２は本発明における判定手段の一実施形態を構成し、サーバ３０の記憶部３２は本発明における記憶手段の一実施形態を構成し、サーバ３０のＣＰＵ３１と、事後処理通信部２０のＣＰＵ２２、リードライト部２３およびアンテナ２４とは、本発明における更新手段の一実施形態を構成している。また、無線端末４０は本発明における非接触媒体の一実施形態を構成している。
【００２０】
図３は、無線端末４０の電気的構成を示したブロック図である。無線端末４０は、各部の動作を制御するＣＰＵ４１と、ＲＯＭ・ＲＡＭ等のメモリからなる記憶部４２と、キーを有する操作部４３と、通行可否の判定結果や残額等が表示される表示部４４と、エリアＡおよびエリアＢの各通信領域においてそれぞれアンテナ１４およびアンテナ２４と通信を行うための通信部４５とが備わっている。
【００２１】
図４は、無線端末４０の記憶部４２に記憶されているチケットデータと、各処理におけるデータへのアクセス権とを示した図である。チケット状態には、券種、開始年月日、終了年月日、発駅コード、着駅コードおよび残情報が含まれている。券種は普通券・定期券・プリペイドカード等のチケットの種類、開始年月日はチケットの利用開始年月日、終了年月日はチケットの利用終了年月日、発駅コードはチケット使用可能区間の始点駅コード、着駅コードはチケット使用可能区間の終点駅コードをそれぞれ表している。残情報は、普通券の場合は未使用／使用済の情報を表し、プリペイドカードの場合は残額の情報を表している。端末ＩＤは無線端末４０ごとに割り当てられた識別番号、利用年月日はゲートを通過した年月日、利用時刻はゲートを通過した時刻、利用駅コードは利用した駅のコード（線区、駅順コード）、コーナ・号機番号は利用したゲートのコーナおよび号機の番号、入出場情報は入場／出場の状態を示す情報、利用駅名は利用したゲートが設置されている駅名をそれぞれ表している。以上において、端末ＩＤは本発明における識別情報の一実施形態をなし、端末ＩＤ以外のデータは本発明における改札情報の一実施形態をなしている。
【００２２】
アクセス権の欄のＲは読み取りのアクセス権があることを示し、Ｗは書込みのアクセス権があることを示している。ゲート処理においてはすべてのデータが読み取られ、事後処理においては、端末ＩＤが読み取られるとともに、残情報、利用年月日、利用時刻、利用駅コード、コーナ・号機番号、入出場情報および利用駅名の書込みが行われる。
【００２３】
図５は、図１のゲートシステムにおける基本的な処理手順を説明する図である。本システムでは、利用者Ｐ（図１）がゲート１０を通過する時には、エリアＡにおいてアンテナ１４（図２）で無線端末４０から識別情報（端末ＩＤ）と改札情報とを読み取る処理と、改札情報に基づいて通行可否を判定する処理とを行う。このとき、通行可と判定された無線端末４０の識別情報と、当該無線端末４０に書き込んで更新すべき改札情報（以下、「更新改札情報」という。）とは、互いに関連付けられてサーバ３０の記憶部３２（図２）に記憶される。そして、利用者Ｐがゲート１０を通過した後、エリアＢにおいてアンテナ２４（図２）が無線端末４０から識別情報を読み取り、読み取った識別情報がサーバ３０に記憶されている識別情報と一致すれば、アンテナ２４は、当該識別情報に対応する更新改札情報を無線端末４０に書き込んで、無線端末４０の改札情報を更新する。図４において、Ｗの付されている情報が更新改札情報に相当する。
【００２４】
改札情報の更新につき具体的に説明すると、ゲート１０が入場用ゲートの場合は、図４のチケットデータのうち、利用年月日、利用時刻、利用駅コード、コーナ・号機番号、入出場情報および利用駅名が更新される。入出場情報は、入場ビットが記録されることで更新される。また、ゲート１０が出場用ゲートの場合は、図４のチケットデータのうち、利用年月日、利用時刻、利用駅コード、コーナ・号機番号、入出場情報、利用駅名および残情報が更新される。入出場情報は、入場ビットがクリアされることで更新され、残情報は残額などが書き込まれることで更新される。
【００２５】
次に、図１のゲートシステムにおける更に詳細な処理手順を、図６および図７のフローチャートに従って説明する。
【００２６】
図６は、ゲート通過時の処理手順を示している。ステップＳ１１では、ゲート１０のアンテナ１４が無線端末４０と交信したか否かをＣＰＵ１２で監視している。交信があった場合は（ステップＳ１１：ＹＥＳ）、リードライト部１３、アンテナ１４を介して、無線端末４０から図４のチケットデータを読み取り（ステップＳ１２）、読み取ったチケットデータを記憶部１５に格納する（ステップＳ１３）。続いて、ＣＰＵ１２は、チケットデータに含まれている改札情報に基づいて、ゲート１０における通行の可否を判定する（ステップＳ１４）。そして、判定の結果、チケットの有効期間・区間・残額等が適正で通行可であれば（ステップＳ１５：ＹＥＳ）、扉制御部１６を介して扉１７を開き、利用者Ｐの通行を許可する（ステップＳ１６）。また、判定の結果、チケットの有効期間・区間・残額等が適正でなく通行不可であれば（ステップＳ１５：ＮＯ）、扉制御部１６を介して扉１７を閉じ、利用者Ｐの通行を禁止する（ステップＳ１８）。ステップＳ１６で通行が許可された場合は、ステップＳ１７へ進み、通行可と判定された無線端末４０の端末ＩＤおよび更新改札情報をサーバ３０へ送信する。サーバ３０は、この端末ＩＤと更新改札情報とを互いに関連付けて（対応させて）記憶部３２に記憶する。
【００２７】
図７は、ゲート通過後の処理手順を示している。ステップＳ２１では、事後処理通信部２０のアンテナ２４が無線端末４０と交信したか否かをＣＰＵ２２で監視している。交信があった場合は（ステップＳ２１：ＹＥＳ）、リードライト部２３、アンテナ２４を介して無線端末４０から端末ＩＤを読み取り（ステップＳ２２）、読み取った端末ＩＤをサーバ３０へ送信する（ステップＳ２３）。サーバ３０では、受け取った端末ＩＤが記憶部３２に記憶されている端末ＩＤと一致するか否かの照合を行う（ステップＳ２４）。照合の結果、端末ＩＤが一致すれば（ステップＳ２５：ＹＥＳ）、リードライト部２３、アンテナ２４を介して、当該端末ＩＤに対応する更新改札情報を無線端末４０へ書き込み、無線端末４０の記憶部４２に記憶されている改札情報を更新する（ステップＳ２６）。一方、ステップＳ２４での照合の結果、端末ＩＤが一致しなければ（ステップＳ２５：ＮＯ）、ステップＳ２１へ戻って、アンテナ２４と無線端末４０との交信有無の監視を継続する。したがって、ゲート１０を通過した利用者Ｐが所持する無線端末４０に対してのみ、改札情報の更新が行われる。
【００２８】
以上のように、図１のゲートシステムでは、ゲート通過時には、エリアＡにおいてアンテナ１４が読み取った無線端末４０の改札情報に基づいてゲート１０の通行可否だけを判定し、ゲート通過後に、エリアＢにおいて当該無線端末４０の端末ＩＤをアンテナ２４が読み取り、この端末ＩＤがサーバ３０に記憶されている端末ＩＤと一致した場合に、改札情報の更新を行うようにしている。このため、エリアＡにおいてゲート１０を通過する意思のない利用者の無線端末と通信が行われたとしても、利用者がゲート１０を通過しない限り改札情報の更新は行われないので、誤って改札情報が更新されるのを未然に防止することができる。
【００２９】
また、エリアＢが、ゲート１０を通過した複数の利用者の各無線端末４０から端末ＩＤを受信できるように、エリアＡより広くなっているとともに、通行可と判定された無線端末４０の端末ＩＤと更新改札情報とが、サーバ３０の記憶部３２に関連付けて記憶されていることから、ゲート１０の数が多くなってもアンテナ２４は１つ（もしくは数個）設けるだけでよく、各ゲートにアンテナ２４を個別に設ける必要がないので、コストを抑制して安価に実現することができる。さらに、改札情報の更新処理を待つことなく、ゲート１０での通行許可または通行禁止の処理を前倒しで行えるので、迅速な処理が可能となる。
【００３０】
図８は、第１の発明に係るゲートシステムの他の実施形態を示す概略構成図である。図８では、図１と同一部分に同一符号を付してある。本システムは、通行を許可または禁止するゲート１０と、ゲート１０の一方の出口付近の上方に配備された事後処理通信部２０と、ゲート１０の他方の出口付近の上方に配備された事後処理通信部５０と、ゲート１０および事後処理通信部２０，５０が接続されたサーバ３０と、利用者Ｐ１，Ｐ２が所持する無線端末４０ａ，４０ｂとから構成される。
【００３１】
ゲート１０は、ゲート１０ａ，１０ｂ，１０ｃからなり、ゲート１０ａ，１０ｂは入場用ゲートを構成し、ゲート１０ｂ，１０ｃは出場用ゲートを構成している。各ゲートには開閉自在な扉１７が設けられている。扉１７が開くことによって利用者Ｐ１，Ｐ２の通行が許可され、扉１７が閉じることによって利用者Ｐ１，Ｐ２の通行が禁止される。ゲート１０ａ，１０ｂにより形成される入場用の通路Ｚ１には、ゲート内に設けられた後述するアンテナによって、第１の通信領域であるエリアＡ１が形成されており、ゲート１０ｂ，１０ｃにより形成される出場用の通路Ｚ２には、ゲート内に設けられた後述するアンテナによって、第１の通信領域であるエリアＡ２が形成されている。また、利用者Ｐ１の進行方向に向って入場用ゲート１０ａ，１０ｂの前方には、事後処理通信部２０に設けられた後述するアンテナによって、第２の通信領域である下方に向かって末広がりのエリアＢ１が形成されている。エリアＢ１は、エリアＡ１よりも広い通信領域を構成している。さらに、利用者Ｐ２の進行方向に向って出場用ゲート１０ｂ，１０ｃの前方には、事後処理通信部５０に設けられた後述するアンテナによって、第２の通信領域である下方に向かって末広がりのエリアＢ２が形成されている。エリアＢ２は、エリアＡ２よりも広い通信領域を構成している。サーバ３０は、例えば駅の係員室に設置されている。無線端末４０ａ，４０ｂは、チケット機能専用の無線端末であってもよいし、携帯電話機などの既存の携帯端末にチケット機能を持たせたものであってもよい。
【００３２】
図９は、図８のゲートシステムの電気的構成を示したブロック図である。図９では、図２と同一部分に同一符号を付してある。なお、ここでは便宜上、入場用ゲートと出場用ゲートとをまとめて１つのゲート１０として図示してある。したがって、実際には、アンテナ１４は入場用通路Ｚ１および出場用通路Ｚ２のそれぞれに設けられる。
【００３３】
ゲート１０には、サーバ３０と接続するためのインターフェイス１１と、各部の動作を制御するＣＰＵ１２と、データの読み書きを行うためのリードライト部１３と、エリアＡ１，Ａ２の通信領域（第１の通信領域）を形成するアンテナ１４と、ＲＯＭ・ＲＡＭ等のメモリからなる記憶部１５と、扉１７の開閉を制御する扉制御部１６とが備わっている。なお、リードライト部１３は、実際には読み取りだけを行い書込みは行わない。事後処理通信部２０には、ＲＯＭ・ＲＡＭ等のメモリからなる記憶部２１と、各部の動作を制御するＣＰＵ２２と、データの読み書きを行うためのリードライト部２３と、エリアＢ１の通信領域（第２の通信領域）を形成するアンテナ２４と、サーバ３０と接続するためのインターフェイス２５とが備わっている。事後処理通信部５０には、ＲＯＭ・ＲＡＭ等のメモリからなる記憶部５１と、各部の動作を制御するＣＰＵ５２と、データの読み書きを行うためのリードライト部５３と、エリアＢ２の通信領域（第２の通信領域）を形成するアンテナ５４と、サーバ３０と接続するためのインターフェイス５５とが備わっている。サーバ３０には、識別情報の照合や残額の演算などの処理を行うＣＰＵ３１と、ＲＯＭ・ＲＡＭ等のメモリやハードディスクからなる記憶部３２と、ゲート１０および事後処理通信部２０，５０と接続するためのインターフェイス３３とが備わっている。なお、無線端末４０ａ，４０ｂの構成は図３と同じであり、記憶部４２に記憶されているチケットデータやアクセス権は図４と同じであるので、これらについては説明は省略する。
【００３４】
以上において、ゲート１０のアンテナ１４は本発明における第１の通信手段の一実施形態を構成し、事後処理通信部２０のアンテナ２４および事後処理通信部５０のアンテナ５４は本発明における第２の通信手段の一実施形態を構成し、ゲート１０のＣＰＵ１２は本発明における判定手段の一実施形態を構成し、サーバ３０の記憶部３２は本発明における記憶手段の一実施形態を構成し、サーバ３０のＣＰＵ３１と、事後処理通信部２０，５０のＣＰＵ２２，５２、リードライト部２３，５３およびアンテナ２４，５４とは、本発明における更新手段の一実施形態を構成している。また、無線端末４０ａ，４０ｂは本発明における非接触媒体の一実施形態を構成している。
【００３５】
図１０は、図８のゲートシステムにおける基本的な処理手順を説明する図である。本システムでは、利用者Ｐ１（図８）が入場用ゲート１０ａ，１０ｂを通過する時には、エリアＡ１においてアンテナ１４（図９）で無線端末４０ａから識別情報（端末ＩＤ）と改札情報とを読み取る処理と、改札情報に基づいて通行可否を判定する処理とを行う。このとき、通行可と判定された無線端末４０ａの識別情報と、当該無線端末４０ａに書き込んで更新すべき改札情報（以下、「更新改札情報」という。）とは、互いに関連付けられてサーバ３０の記憶部３２（図９）に記憶される。そして、利用者Ｐ１が入場用ゲート１０ａ，１０ｂを通過した後、エリアＢ１においてアンテナ２４（図９）が無線端末４０ａから識別情報を読み取り、読み取った識別情報がサーバ３０に記憶されている識別情報と一致すれば、アンテナ２４は、当該識別情報に対応する更新改札情報を無線端末４０ａに書き込んで、無線端末４０ａの改札情報を更新する。この更新においては、図４のチケットデータのうち、利用年月日、利用時刻、利用駅コード、コーナ・号機番号、入出場情報および利用駅名が更新される。入出場情報は、入場ビットが記録されることで更新される。
【００３６】
また、利用者Ｐ２（図８）が出場用ゲート１０ｂ，１０ｃを通過する時には、エリアＡ２においてアンテナ１４（図９）が無線端末４０ｂから識別情報（端末ＩＤ）と改札情報とを読み取る処理と、改札情報に基づいて通行可否を判定する処理とを行う。このとき、通行可と判定された無線端末４０ｂの識別情報と更新改札情報とは、互いに関連付けられてサーバ３０の記憶部３２（図９）に記憶される。そして、利用者Ｐ２が出場用ゲート１０ｂ，１０ｃを通過した後、エリアＢ２においてアンテナ５４（図９）が無線端末４０ｂから識別情報を読み取り、読み取った識別情報がサーバ３０の記憶部３２に記憶されている識別情報と一致すれば、アンテナ５４は、当該識別情報に対応する更新改札情報を無線端末４０ｂに書き込んで、無線端末４０ｂの改札情報を更新する。この更新においては、図４のチケットデータのうち、利用年月日、利用時刻、利用駅コード、コーナ・号機番号、入出場情報、利用駅名および残情報が更新される。入出場情報は、入場ビットがクリアされることで更新され、残情報は残額などが書き込まれることで更新される。
【００３７】
次に、図８のゲートシステムにおける更に詳細な処理手順を、図１１および図１２のフローチャートに従って説明する。図１１および図１２においては、図６および図７と同一の処理を行うステップに同一符号を付してある。
【００３８】
図１１は、ゲート通過時の処理手順を示している。ステップＳ１１では、ゲート１０のアンテナ１４が無線端末４０ａ，４０ｂと交信したか否かをＣＰＵ１２で監視している。交信があった場合は（ステップＳ１１：ＹＥＳ）、リードライト部１３、アンテナ１４を介して、無線端末４０ａ，４０ｂから図４のチケットデータを読み取り（ステップＳ１２）、読み取ったチケットデータを記憶部１５に格納する（ステップＳ１３）。続いて、ＣＰＵ１２は、チケットデータに含まれている改札情報に基づいて、ゲート１０における通行の可否を判定する（ステップＳ１４）。そして、判定の結果、チケットの有効期間・区間・残額等が適正で通行可であれば（ステップＳ１５：ＹＥＳ）、扉制御部１６を介して扉１７を開き、利用者Ｐ１，Ｐ２の通行を許可する（ステップＳ１６）。また、判定の結果、チケットの有効期間・区間・残額等が適正でなく通行不可であれば（ステップＳ１５：ＮＯ）、扉制御部１６を介して扉１７を閉じ、利用者Ｐ１，Ｐ２の通行を禁止する（ステップＳ１８）。ステップＳ１６で通行が許可された場合は、ステップＳ１７へ進み、通行可と判定された無線端末４０ａ，４０ｂの端末ＩＤおよび更新改札情報をサーバ３０へ送信する。サーバ３０は、この端末ＩＤと更新改札情報とを互いに関連付けて（対応させて）記憶部３２に記憶する。以上の一連の手順は、先に説明した図６の手順と同様である。
【００３９】
図１２は、ゲート通過後の処理手順を示している。ステップＳ２１では、事後処理通信部２０，５０のアンテナ２４，５４が無線端末４０ａ，４０ｂと交信したか否かをＣＰＵ２２，５２で監視している。交信があった場合は（ステップＳ２１：ＹＥＳ）、リードライト部２３，５３、およびアンテナ２４，５４を介して無線端末４０ａ，４０ｂから端末ＩＤを読み取り（ステップＳ２２）、読み取った端末ＩＤをサーバ３０へ送信する（ステップＳ２３）。サーバ３０では、受け取った端末ＩＤが記憶部３２に記憶されている端末ＩＤと一致するか否かの照合を行う（ステップＳ２４）。ここまでの手順は、先に説明した図７の場合と同様である。
【００４０】
照合の結果、端末ＩＤが一致すれば（ステップＳ２５：ＹＥＳ）、次に、記憶部３２の更新改札情報を参照して、当該端末ＩＤに対応する無線端末の入場情報（入場ビット）の消込更新／書込更新を判定する（ステップＳ２５ａ）。消込更新とは、無線端末に記録されている入場情報を消去することをいい、書込更新とは、無線端末に入場情報を記録することをいう。ステップＳ２５ａでの判定の結果、記憶部３２に入場情報の消込更新が記録されておれば（ステップＳ２５ａ：ＹＥＳ）、その無線端末には他の駅（乗車駅）のゲートを通過したことによる入場情報が記録されており、この入場情報を消込更新するものと判断して出場処理を行う。すなわち、事後処理通信部５０のリードライト部５３、アンテナ５４を介して、当該端末ＩＤに対応する更新改札情報を無線端末４０ｂへ書き込み、無線端末４０ｂの記憶部４２に記憶されている改札情報を更新することによって出場処理を行う（ステップＳ２６ａ）。一方、ステップＳ２５ａでの判定の結果、記憶部３２に入場情報の書込更新が記録されておれば（ステップＳ２５ａ：ＮＯ）、その無線端末には入場情報が記録されておらず、当駅からの乗車が予定されていて書込更新をするものと判断して、入場処理を行う。すなわち、事後処理通信部２０のリードライト部２３、アンテナ２４を介して、当該端末ＩＤに対応する更新改札情報を無線端末４０ａへ書き込み、無線端末４０ａの記憶部４２に記憶されている改札情報を更新することによって入場処理を行う（ステップＳ２６ｂ）。また、ステップＳ２４での照合の結果、端末ＩＤが一致しなければ（ステップＳ２５：ＮＯ）、ステップＳ２１へ戻って、アンテナ２４，５４と無線端末４０ａ，４０ｂとの交信有無の監視を継続する。したがって、サーバ３０の記憶部３２の更新改札情報を参照して、当該端末ＩＤに対応する無線端末の入場情報（入場ビット）の書込更新または消込更新を判定することにより、事後処理通信部２０、５０を使い分けることで、エリアＢ１においては、入場用ゲート１０ａ，１０ｂを通過した利用者Ｐ１が所持する無線端末４０ａに対してのみ改札情報の更新が行われ、エリアＢ２においては、出場用ゲート１０ｂ，１０ｃを通過した利用者Ｐ２が所持する無線端末４０ｂに対してのみ改札情報の更新が行われる。
【００４１】
以上のように、図８のゲートシステムでは、ゲート通過時には、エリアＡ１、Ａ２においてアンテナ１４が読み取った無線端末４０ａ，４０ｂの改札情報に基づいてゲート１０の通行可否だけを判定し、ゲート通過後に、エリアＢ１，Ｂ２において当該無線端末４０ａ，４０ｂの端末ＩＤをアンテナ２４，５４が読み取り、この端末ＩＤがサーバ３０に記憶されている端末ＩＤと一致した場合に、改札情報の更新を行うようにしている。このため、エリアＡ１，Ａ２においてゲート１０を通過する意思のない利用者の無線端末と通信が行われたとしても、利用者がゲート１０を通過しない限り改札情報の更新は行われないので、誤って改札情報が更新されるのを未然に防止することができる。
【００４２】
また、エリアＢ１，Ｂ２が、ゲート１０を通過した複数の利用者の各無線端末４０ａ，４０ｂから端末ＩＤを受信できるように、エリアＡ１，Ａ２より広くなっているとともに、通行可と判定された無線端末４０ａ，４０ｂの端末ＩＤと更新改札情報とが、サーバ３０の記憶部３２に関連付けて記憶されていることから、ゲート１０の数が多くなってもアンテナ２４，５４はそれぞれ１つ（もしくは数個）設けるだけでよく、各ゲートにアンテナ２４，５４を個別に設ける必要がないので、コストを抑制して安価に実現することができる。さらに、改札情報の更新処理を待つことなく、ゲート１０での通行許可または通行禁止の処理を前倒しで行えるので、迅速な処理が可能となる。なお、この実施形態においては、更新改札情報を判定して事後処理通信部２０、５０を使い分けることとしたが、事前にサーバ３０の記憶部３２にエリアＢ１で更新すべき端末ＩＤと、エリアＢ２で更新すべき端末ＩＤとをそれぞれ別に記憶しておき、一致した端末ＩＤに対応する事後処理通信部２０、５０で更新処理を行うようにしてもよい。
【００４３】
図１３は、第２の発明に係るゲートシステムの実施形態を示す概略構成図である。図１３では、図１と同一部分に同一符号を付してある。本システムは、通行を許可または禁止するゲート１０と、ゲート１０の出口付近の上方に配備された事後処理通信部２０と、ゲート１０の入口付近の上方に配備された事前処理通信部６０と、ゲート１０・事後処理通信部２０・事前処理通信部６０が接続されたサーバ３０と、利用者Ｐが所持する無線端末４０とから構成される。
【００４４】
ゲート１０は、一対のゲート１０ａ，１０ｂからなり、それぞれには開閉自在な扉１７が設けられている。扉１７が開くことによって利用者Ｐの通行が許可され、扉１７が閉じることによって利用者Ｐの通行が禁止される。ゲート１０ａ，１０ｂにより形成される通路Ｚには、ゲート内に設けられた後述するアンテナによって、第１の通信領域であるエリアＡが形成されている。また、利用者Ｐの進行方向に向ってゲート１０より前方には、事後処理通信部２０に設けられた後述するアンテナによって、第２の通信領域である下方に向かって末広がりのエリアＢ１が形成されている。エリアＢ１は、エリアＡよりも広い通信領域を構成している。また、利用者Ｐの進行方向に向ってゲート１０より手前には、事前処理通信部６０に設けられた後述するアンテナによって、第３の通信領域である下方に向かって末広がりのエリアＢ３が形成されている。エリアＢ３も、エリアＡより広い通信領域を構成している。サーバ３０は、例えば駅の係員室に設置されている。無線端末４０は、チケット機能専用の無線端末であってもよいし、携帯電話機などの既存の携帯端末にチケット機能を持たせたものであってもよい。
【００４５】
図１４は、図１３のゲートシステムの電気的構成を示したブロック図である。図１４では、図２と同一部分に同一符号を付してある。ゲート１０には、サーバ３０と接続するためのインターフェイス１１と、各部の動作を制御するＣＰＵ１２と、データの読み書きを行うためのリードライト部１３と、エリアＡの通信領域（第１の通信領域）を形成するアンテナ１４と、ＲＯＭ・ＲＡＭ等のメモリからなる記憶部１５と、扉１７の開閉を制御する扉制御部１６とが備わっている。なお、リードライト部１３は、実際には読み取りだけを行い書込みは行わない。事後処理通信部２０には、ＲＯＭ・ＲＡＭ等のメモリからなる記憶部２１と、各部の動作を制御するＣＰＵ２２と、データの読み書きを行うためのリードライト部２３と、エリアＢ１の通信領域（第２の通信領域）を形成するアンテナ２４と、サーバ３０と接続するためのインターフェイス２５とが備わっている。事前処理通信部６０には、ＲＯＭ・ＲＡＭ等のメモリからなる記憶部６１と、各部の動作を制御するＣＰＵ６２と、データの読み書きを行うためのリードライト部６３と、エリアＢ３の通信領域（第３の通信領域）を形成するアンテナ６４と、サーバ３０と接続するためのインターフェイス６５とが備わっている。サーバ３０には、識別情報の照合、通行可否の判定、残額の演算などの処理を行うＣＰＵ３１と、ＲＯＭ・ＲＡＭ等のメモリやハードディスクからなる記憶部３２と、ゲート１０・事後処理通信部２０・事前処理通信部６０と接続するためのインターフェイス３３とが備わっている。なお、無線端末４０の構成は図３に示したものと同じであるので、これについては説明を省略する。
【００４６】
以上において、ゲート１０のアンテナ１４は本発明における第１の通信手段の一実施形態を構成し、事後処理通信部２０のアンテナ２４は本発明における第２の通信手段の一実施形態を構成し、事前処理通信部６０のアンテナ６４は本発明における第３の通信手段の一実施形態を構成し、サーバ３０のＣＰＵ３１は本発明における判定手段の一実施形態を構成し、サーバ３０の記憶部３２は本発明における記憶手段の一実施形態を構成し、サーバ３０のＣＰＵ３１と、事後処理通信部２０のＣＰＵ２２、リードライト部２３およびアンテナ２４とは、本発明における更新手段の一実施形態を構成している。また、無線端末４０は本発明における非接触媒体の一実施形態を構成している。
【００４７】
図１５は、無線端末４０の記憶部４２に記憶されているチケットデータと、各処理におけるデータへのアクセス権とを示した図である。チケットデータについては、図４に示したものと全く同じであるので、ここでは説明を省略する。図４と同様に、アクセス権の欄のＲは読み取りのアクセス権があることを示し、Ｗは書込みのアクセス権があることを示している。事前処理においては、すべてのデータが読み取られ、ゲート処理においては端末ＩＤだけが読み取られ、事後処理においては、端末ＩＤが読み取られるとともに、残情報、利用年月日、利用時刻、利用駅コード、コーナ・号機番号、入出場情報および利用駅名の書込みが行われる。以上において、端末ＩＤは本発明における識別情報の一実施形態をなし、端末ＩＤ以外のデータは本発明における改札情報の一実施形態をなしている。
【００４８】
図１６は、図１３のゲートシステムにおける基本的な処理手順を説明する図である。本システムでは、利用者Ｐ（図１３）がエリアＢ３に入ると、アンテナ６４（図１４）で無線端末４０から識別情報（端末ＩＤ）と改札情報とを読み取り、改札情報に基づいてサーバ３０で通行可否を判定する処理を行う。このとき、通行可と判定された無線端末４０の識別情報と、当該無線端末４０に書き込んで更新すべき改札情報（以下、「更新改札情報」という。）とは、互いに関連付けられてサーバ３０の記憶部３２（図１４）に記憶される。そして、ゲート１０を通過する時には、エリアＡにおいてアンテナ１４（図１４）で無線端末４０から識別情報（端末ＩＤ）のみを読み取り、読み取った識別情報に対する通行可否の判定結果をサーバ３０から取得して扉１７の開閉制御を行う。さらに、利用者Ｐがゲート１０を通過した後、エリアＢ１においてアンテナ２４（図１４）が無線端末４０から識別情報を読み取り、読み取った識別情報がサーバ３０に記憶されている識別情報と一致すれば、アンテナ２４は、当該識別情報に対応する更新改札情報を無線端末４０に書き込んで、無線端末４０の改札情報を更新する。図１５において、Ｗの付されている情報が更新改札情報に相当する。
【００４９】
改札情報の更新につき具体的に説明すると、ゲート１０が入場用ゲートの場合は、図１５のチケットデータのうち、利用年月日、利用時刻、利用駅コード、コーナ・号機番号、入出場情報および利用駅名が更新される。入出場情報は、入場ビットが記録されることで更新される。また、ゲート１０が出場用ゲートの場合は、図１５のチケットデータのうち、利用年月日、利用時刻、利用駅コード、コーナ・号機番号、入出場情報、利用駅名および残情報が更新される。入出場情報は、入場ビットがクリアされることで更新され、残情報は残額などが書き込まれることで更新される。
【００５０】
次に、図１３のゲートシステムにおける更に詳細な処理手順を、図１７〜図１９のフローチャートに従って説明する。
【００５１】
図１７は、エリアＢ３における事前処理の手順を示している。ステップＳ３１では、事前処理通信部６０のアンテナ６４が無線端末４０と交信したか否かをＣＰＵ６２で監視している。交信があった場合は（ステップＳ３１：ＹＥＳ）、リードライト部６３、アンテナ６４を介して、無線端末４０から図１５のチケットデータを読み取り（ステップＳ３２）、読み取ったチケットデータをサーバ３０へ送信する（ステップＳ３３）。サーバ３０では、チケットデータに含まれている改札情報に基づいてゲート１０における通行の可否を判定する（ステップＳ３４）。チケットの有効期間・区間・残額等が適正であれば通行可と判定され、これらが適正でなければ通行不可と判定される。判定が終わると、チケットデータを判定結果とともに記憶部３２に記憶する（ステップＳ３５）。その後、リードライト部６３およびアンテナ６４を介して、判定結果を無線端末４０へ送信する（ステップＳ３６）。これにより、無線端末４０の表示部４４（図３）には、通行可否の判定結果が表示される。
【００５２】
図１８は、ゲート通過時の処理手順を示している。ステップＳ４１では、ゲート１０のアンテナ１４が無線端末４０と交信したか否かをＣＰＵ１２で監視している。交信があった場合は（ステップＳ４１：ＹＥＳ）、リードライト部１３、アンテナ１４を介して、無線端末４０から端末ＩＤを読み取り（ステップＳ４２）、読み取った端末ＩＤをサーバ３０へ送信する（ステップＳ４３）。サーバ３０では、受信した端末ＩＤを記憶部３２の端末ＩＤ（図１７のステップＳ３５で記憶した端末ＩＤ）と照合し、当該端末ＩＤが通行の許可されている端末ＩＤか否かを判定する（ステップＳ４４）。そして、その判定結果をゲート１０へ送信する（ステップＳ４５）。ゲート１０では、サーバ３０から受け取った判定結果に基づいて通行の可否を判定し（ステップＳ４６）、通行可であれば（ステップＳ４６：ＹＥＳ）、扉制御部１６を介して扉１７を開き、利用者Ｐの通行を許可する（ステップＳ４７）。その後、サーバ３０は、記憶部３２に関連付けて記憶されている通行可と判定された端末ＩＤおよび更新改札情報を、事後処理通信部２０へ送信する（ステップＳ４８）。事後処理通信部２０は、これらのデータを記憶部２１に格納する。一方、ステップＳ４６での判定結果が通行不可であれば（ステップＳ４６：ＮＯ）、扉制御部１６を介して扉１７を閉じ、利用者Ｐの通行を禁止する（ステップＳ４９）。
【００５３】
図１９は、エリアＢ１における事後処理の手順を示している。ステップＳ５１では、事後処理通信部２０のアンテナ２４が無線端末４０と交信したか否かをＣＰＵ２２で監視している。交信があった場合は（ステップＳ５１：ＹＥＳ）、リードライト部２３、アンテナ２４を介して無線端末４０から端末ＩＤを読み取り（ステップＳ５２）、読み取った端末ＩＤが図１８のステップＳ４８でサーバ３０から受信した端末ＩＤと一致するか否かを照合する（ステップＳ５３）。照合の結果、端末ＩＤが一致すれば（ステップＳ５３：ＹＥＳ）、リードライト部２３、アンテナ２４を介して、当該端末ＩＤに対応する更新改札情報を無線端末４０へ書き込み、無線端末４０の記憶部４２に記憶されている改札情報を更新する（ステップＳ５４）。一方、ステップＳ５３での照合の結果、端末ＩＤが一致しなければ（ステップＳ５３：ＮＯ）、ステップＳ５１へ戻って、アンテナ２４と無線端末４０との交信有無の監視を継続する。したがって、ゲート１０を通過した利用者Ｐが所持する無線端末４０に対してのみ、改札情報の更新が行われる。
【００５４】
以上のように、図１３のゲートシステムでは、ゲート１０を通過する前にエリアＢ３においてアンテナ６４が読み取った無線端末４０の改札情報に基づいて、サーバ３０でゲート１０の通行可否を判定し、ゲート通過時には、エリアＡにおいてアンテナ１４で無線端末４０の端末ＩＤだけを読み取って、この端末ＩＤが通行可と判定された無線端末４０の端末ＩＤであればゲート１０での通行を許可し、ゲート通過後に、エリアＢ１において当該無線端末４０の端末ＩＤをアンテナ２４が読み取り、この端末ＩＤがサーバ３０に記憶されている端末ＩＤと一致した場合に、改札情報の更新を行うようにしている。このため、エリアＢ３においてゲート１０を通過する意思のない利用者の無線端末と通信が行われたとしても、利用者がゲート１０を通過しない限り改札情報の更新は行われないので、誤って改札情報が更新されるのを未然に防止することができる。
【００５５】
また、エリアＢ１が、ゲート１０を通過した複数の利用者の各無線端末４０から端末ＩＤを受信できるように、エリアＡより広くなっているとともに、エリアＢ３も、ゲート１０へ進入する複数の利用者の各無線端末４０から端末ＩＤおよび改札情報を受信できるように、エリアＡより広くなっており、かつ、通行可と判定された無線端末４０の端末ＩＤと更新改札情報とが、サーバ３０の記憶部３２に関連付けて記憶されていることから、ゲートの数が多くなってもアンテナ２４，６４はぞれぞれ１つ（もしくは数個）設けるだけでよく、各ゲートにアンテナ２４，６４を個別に設ける必要がないので、コストを抑制して安価に実現することができる。さらに、改札情報の更新処理を待つことなく、ゲート１０での通行許可または通行禁止の処理を前倒しで行えるので、迅速な処理が可能となる。
【００５６】
なお、図示は省略するが、図１３に示した第２の発明に係るゲートシステムの他の実施形態として、図８のような入場用ゲート１０ａ，１０ｂおよび出場用ゲート１０ｂ，１０ｃを設け、入場用ゲートと出場用ゲートのそれぞれに対して、事後処理通信部２０および事前処理通信部６０を設けたゲートシステムが考えられる。
【００５７】
図２０は、第３の発明に係るゲートシステムの実施形態を示す概略構成図である。図２０では、図８と同一部分に同一符号を付してある。本システムは、通行を許可または禁止するゲート１０と、ゲート１０の一方側（右側）の出入口付近の上方に配備された事前／事後処理通信部７０と、ゲート１０の他方側（左側）の出入口付近の上方に配備された事前／事後処理通信部８０と、ゲート１０および事前／事後処理通信部７０，８０が接続されたサーバ３０と、利用者Ｐ１，Ｐ２が所持する無線端末４０ａ，４０ｂとから構成される。
【００５８】
ゲート１０は、ゲート１０ａ，１０ｂ，１０ｃからなり、ゲート１０ａ，１０ｂは入場用ゲートを構成し、ゲート１０ｂ，１０ｃは出場用ゲートを構成している。各ゲートには開閉自在な扉１７が設けられている。扉１７が開くことによって利用者Ｐ１，Ｐ２の通行が許可され、扉１７が閉じることによって利用者Ｐ１，Ｐ２の通行が禁止される。ゲート１０ａ，１０ｂにより形成される入場用の通路Ｚ１には、ゲート内に設けられた後述するアンテナによって、第１の通信領域であるエリアＡ１が形成されており、ゲート１０ｂ，１０ｃにより形成される出場用の通路Ｚ２には、ゲート内に設けられた後述するアンテナによって、第１の通信領域であるエリアＡ２が形成されている。また、ゲート１０の一方側（右側）の出入口付近には、事前／事後処理通信部７０に設けられた後述するアンテナによって、第２の通信領域である下方に向かって末広がりのエリアＢ４が形成されている。このエリアＢ４は、入場用ゲート１０ａ，１０ｂを通過した複数の利用者の各無線端末４０ａから端末ＩＤを受信できるように、かつ、出場用ゲート１０ｂ，１０ｃへ進入する複数の利用者の各無線端末４０ｂから端末ＩＤおよび改札情報を受信できるように、入場用ゲート１０ａ，１０ｂの出口付近および出場用ゲート１０ｂ，１０ｃの入口付近にまたがっており、エリアＡ１，Ａ２よりも広い通信領域を構成している。さらに、ゲート１０の他方側（左側）の出入口付近には、事前／事後処理通信部８０に設けられた後述するアンテナによって、第３の通信領域である下方に向かって末広がりのエリアＢ５が形成されている。このエリアＢ５は、入場用ゲート１０ａ，１０ｂへ進入する複数の利用者の各無線端末４０ａから端末ＩＤおよび改札情報を受信できるように、かつ、出場用ゲート１０ｂ，１０ｃを通過した複数の利用者の各無線端末４０ｂから端末ＩＤを受信できるように、入場用ゲート１０ａ，１０ｂの入口付近および出場用ゲート１０ｂ，１０ｃの出口付近にまたがっており、エリアＡ１，Ａ２よりも広い通信領域を構成している。サーバ３０は、例えば駅の係員室に設置されている。無線端末４０ａ，４０ｂは、チケット機能専用の無線端末であってもよいし、携帯電話機などの既存の携帯端末にチケット機能を持たせたものであってもよい。
【００５９】
図２１は、図２０のゲートシステムの電気的構成を示したブロック図である。図２１では、図２と同一部分に同一符号を付してある。なお、ここでは便宜上、入場用ゲートと出場用ゲートとをまとめて１つのゲート１０として図示してある。したがって、実際には、アンテナ１４は入場用通路Ｚ１および出場用通路Ｚ２のそれぞれに設けられる。
【００６０】
ゲート１０には、サーバ３０と接続するためのインターフェイス１１と、各部の動作を制御するＣＰＵ１２と、データの読み書きを行うためのリードライト部１３と、エリアＡ１，Ａ２の通信領域（第１の通信領域）を形成するアンテナ１４と、ＲＯＭ・ＲＡＭ等のメモリからなる記憶部１５と、扉１７の開閉を制御する扉制御部１６とが備わっている。なお、リードライト部１３は、実際には読み取りだけを行い書込みは行わない。事前／事後処理通信部７０には、ＲＯＭ・ＲＡＭ等のメモリからなる記憶部７１と、各部の動作を制御するＣＰＵ７２と、データの読み書きを行うためのリードライト部７３と、エリアＢ４の通信領域（第２の通信領域）を形成するアンテナ７４と、サーバ３０と接続するためのインターフェイス７５とが備わっている。事前／事後処理通信部８０には、ＲＯＭ・ＲＡＭ等のメモリからなる記憶部８１と、各部の動作を制御するＣＰＵ８２と、データの読み書きを行うためのリードライト部８３と、エリアＢ５の通信領域（第３の通信領域）を形成するアンテナ８４と、サーバ３０と接続するためのインターフェイス８５とが備わっている。サーバ３０には、識別情報の照合、通行可否の判定、残額の演算などの処理を行うＣＰＵ３１と、ＲＯＭ・ＲＡＭ等のメモリやハードディスクからなる記憶部３２と、ゲート１０および事前／事後処理通信部７０，８０と接続するためのインターフェイス３３とが備わっている。なお、無線端末４０ａ，４０ｂの構成は図３と同じであり、記憶部４２に記憶されているチケットデータやアクセス権は図１５と同じであるので、これらについては説明は省略する。
【００６１】
以上において、ゲート１０のアンテナ１４は本発明における第１の通信手段の一実施形態を構成し、事前／事後処理通信部７０のアンテナ７４は本発明における第２の通信手段の一実施形態を構成し、事前／事後処理通信部８０のアンテナ８４は本発明における第３の通信手段の一実施形態を構成し、サーバ３０のＣＰＵ３１は本発明における判定手段の一実施形態を構成し、サーバ３０の記憶部３２は本発明における記憶手段の一実施形態を構成し、サーバ３０のＣＰＵ３１と、事前／事後処理通信部７０，８０のＣＰＵ７２，８２、リードライト部７３，８３およびアンテナ７４，８４とは、本発明における更新手段の一実施形態を構成している。また、無線端末４０ａ，４０ｂは本発明における非接触媒体の一実施形態を構成している。
【００６２】
図２２は、図２０のゲートシステムにおける基本的な処理手順を説明する図である。本システムでは、入場用ゲート１０ａ，１０ｂを通過しようとする利用者Ｐ１（図２０）がエリアＢ５に入ると、アンテナ８４（図２１）で無線端末４０ａから識別情報（端末ＩＤ）と改札情報とを読み取り、改札情報に基づいてサーバ３０で通行可否を判定する処理を行う。このとき、通行可と判定された無線端末４０ａの識別情報と、当該無線端末４０ａに書き込んで更新すべき改札情報（以下、「更新改札情報」という。）とは、互いに関連付けられてサーバ３０の記憶部３２（図２１）に記憶される。そして、入場用ゲート１０ａ，１０ｂを通過する時には、エリアＡ１においてアンテナ１４（図２１）で無線端末４０ａから識別情報（端末ＩＤ）のみを読み取り、読み取った識別情報に対する通行可否の判定結果をサーバ３０から取得して扉１７の開閉制御を行う。さらに、利用者Ｐ１が入場用ゲート１０ａ，１０ｂを通過した後、エリアＢ４においてアンテナ７４（図２１）が無線端末４０ａから識別情報を読み取り、読み取った識別情報がサーバ３０に記憶されている識別情報と一致すれば、アンテナ７４は、当該識別情報に対応する更新改札情報を無線端末４０ａに書き込んで、無線端末４０ａの改札情報を更新する。この更新においては、図１５のチケットデータのうち、利用年月日、利用時刻、利用駅コード、コーナ・号機番号、入出場情報および利用駅名が更新される。入出場情報は、入場ビットが記録されることで更新される。
【００６３】
また、出場用ゲート１０ｂ，１０ｃを通過しようとする利用者Ｐ２（図２０）がエリアＢ４に入ると、アンテナ７４で無線端末４０ｂから識別情報（端末ＩＤ）と改札情報とを読み取り、改札情報に基づいてサーバ３０で通行可否を判定する処理を行う。このとき、通行可と判定された無線端末４０ｂの識別情報と更新改札情報とは、互いに関連付けられてサーバ３０の記憶部３２に記憶される。そして、出場用ゲート１０ｂ，１０ｃを通過する時には、エリアＡ２においてアンテナ１４で無線端末４０ｂから識別情報（端末ＩＤ）のみを読み取り、読み取った識別情報に対する通行可否の判定結果をサーバ３０から取得して扉１７の開閉制御を行う。さらに、利用者Ｐ２が出場用ゲート１０ｂ，１０ｃを通過した後、エリアＢ５においてアンテナ８４が無線端末４０ｂから識別情報を読み取り、読み取った識別情報がサーバ３０に記憶されている識別情報と一致すれば、アンテナ８４は、当該識別情報に対応する更新改札情報を無線端末４０ｂに書き込んで、無線端末４０ｂの改札情報を更新する。この更新においては、図１５のチケットデータのうち、利用年月日、利用時刻、利用駅コード、コーナ・号機番号、入出場情報、利用駅名および残情報が更新される。入出場情報は、入場ビットがクリアされることで更新され、残情報は残額などが書き込まれることで更新される。
【００６４】
次に、図２０のゲートシステムにおける更に詳細な処理手順を、図２３Ａ〜図２３Ｃおよび図２４のフローチャートに従って説明する。図２３Ａ〜図２３Ｃおよび図２４においては、図１７〜図１９と同一の処理を行うステップに同一符号を付してある。
【００６５】
図２３Ａ〜図２３Ｃは、エリアＢ４，Ｂ５における事前／事後処理の手順を示している。図２３Ａにおいて、ステップＳ３１では、事前／事後処理通信部７０，８０のアンテナ７４，８４が無線端末４０ａ，４０ｂと交信したか否かをＣＰＵ７２，８２で監視している。交信があった場合は（ステップＳ３１：ＹＥＳ）、リードライト部７３，８３およびアンテナ７４，８４を介して、無線端末４０ａ，４０ｂから図１５のチケットデータを読み取り（ステップＳ３２）、読み取ったチケットデータに基づいて事前処理と事後処理のいずれを行うかを判定する（ステップＳ３２ａ）。例えば、駅構外にある事前／事後処理通信部８０については、読取ったチケットデータに入場ビットがなければ事前処理、入場ビットがあれば事後処理を行うものと判定する。また、駅構内にある事前／事後処理通信部７０については、読取ったチケットデータに入場ビットがあれば事前処理、入場ビットがなければ事後処理を行うものと判定する。なお、これ以外の判定方法として、事前／事後処理通信部７０，８０のいずれについても、読取った端末ＩＤが記憶部３２に記憶されていなければ事前処理を行い、記憶されていれば図１２のステップＳ２５ａと同じ処理により、事前／事後処理通信部７０による入場時の事後処理、または事前／事後処理通信部８０による出場時の事後処理を行なうものと判定してもよい。
【００６６】
ステップＳ３２ａにおいて、事前処理を行うと判定した場合は、図２３ＢのステップＳ３３へ移行し、読み取ったチケットデータをサーバ３０へ送信する。サーバ３０では、受信したチケットデータを参照して、入場情報（入場ビット）の有無を判定する（ステップＳ３３ａ）。入場情報が記録されておれば（ステップＳ３３ａ：ＹＥＳ）、その無線端末は他の駅（乗車駅）のゲートを通過したものと判断して、改札情報に基づき出場用ゲート１０ｂ，１０ｃでの出場可否の判定を行う（ステップＳ３４ａ）。また、入場情報が記録されていなければ（ステップＳ３３ａ：ＮＯ）、その無線端末は当駅からの乗車が予定されているものと判断して、改札情報に基づき入場用ゲート１０ａ，１０ｂでの入場可否の判定を行う（ステップＳ３４ｂ）。判定が終わると、チケットデータを判定結果とともに記憶部３２に記憶する（ステップＳ３５）。その後、リードライト部７３，８３およびアンテナ７４，８４を介して、判定結果を無線端末４０ａ，４０ｂへ送信する（ステップＳ３６）。これにより、無線端末４０ａ，４０ｂの表示部４４（図３）には、通行可否の判定結果が表示される。一方、ステップＳ３２ａにおいて、事後処理を行うと判定した場合は、図２３Ｃの処理に移行するが、これについては後述する。
【００６７】
図２４は、ゲート通過時の処理手順を示している。ステップＳ４１では、ゲート１０のアンテナ１４が無線端末４０ａ，４０ｂと交信したか否かをＣＰＵ１２で監視している。交信があった場合は（ステップＳ４１：ＹＥＳ）、リードライト部１３、アンテナ１４を介して、無線端末４０ａ，４０ｂから端末ＩＤを読み取り（ステップＳ４２）、読み取った端末ＩＤをサーバ３０へ送信する（ステップＳ４３）。サーバ３０では、受信した端末ＩＤを記憶部３２の端末ＩＤ（図２３のステップＳ３５で記憶した端末ＩＤ）と照合し、当該端末ＩＤが通行の許可されている端末ＩＤか否かを判定する（ステップＳ４４）。そして、その判定結果をゲート１０へ送信する（ステップＳ４５）。ゲート１０では、サーバ３０から受け取った判定結果に基づいて通行の可否を判定し（ステップＳ４６）、通行可であれば（ステップＳ４６：ＹＥＳ）、扉制御部１６を介して入場用ゲート１０ａ，１０ｂまたは出場用ゲート１０ｂ，１０ｃの扉１７を開き、利用者Ｐ１，Ｐ２の通行（入場／出場）を許可する（ステップＳ４７）。その後、サーバ３０は、記憶部３２に関連付けて記憶されている通行可と判定された端末ＩＤおよび更新改札情報を、事前／事後処理通信部７０，８０へ送信する（ステップＳ４８）。事前／事後処理通信部７０，８０は、これらのデータを記憶部７１，８１に格納する。一方、ステップＳ４６での判定結果が通行不可であれば（ステップＳ４６：ＮＯ）、扉制御部１６を介して扉１７を閉じ、利用者Ｐ１，Ｐ２の通行（入場／出場）を禁止する（ステップＳ４９）。
【００６８】
次に、図２３ＡのステップＳ３２ａの判定が事後処理の場合の手順を説明する。事後処理と判定されると、図２３ＣのステップＳ５２ａへ移行し、読み取ったチケットデータから端末ＩＤを抽出する。そして、この端末ＩＤが図２４のステップＳ４８でサーバ３０から受信した端末ＩＤと一致するか否かを照合する（ステップＳ５３）。照合の結果、端末ＩＤが一致すれば（ステップＳ５３：ＹＥＳ）、リードライト部７３，８３およびアンテナ７４，８４を介して、当該端末ＩＤに対応する更新改札情報を無線端末４０ａ，４０ｂへ書き込み、無線端末４０ａ，４０ｂの記憶部４２に記憶されている改札情報を更新する（ステップＳ５４）。一方、ステップＳ５３での照合の結果、端末ＩＤが一致しなければ（ステップＳ５３：ＮＯ）、図２３ＡのステップＳ３１へ戻って、アンテナ７４，８４と無線端末４０ａ，４０ｂとの交信有無の監視を継続する。したがって、ゲート１０を通過した利用者Ｐ１，Ｐ２が所持する無線端末４０ａ，４０ｂに対してのみ、改札情報の更新が行われる。
【００６９】
以上のように、図２０のゲートシステムでは、入場用ゲート１０ａ，１０ｂに対しては、ゲートを通過する前にエリアＢ５においてアンテナ８４が読み取った無線端末４０ａの改札情報に基づいて、サーバ３０で入場用ゲート１０ａ，１０ｂの通行可否を判定し、ゲート通過時には、エリアＡ１においてアンテナ１４で無線端末４０ａの端末ＩＤだけを読み取って、この端末ＩＤが通行可と判定された無線端末４０ａの端末ＩＤであれば入場用ゲート１０ａ，１０ｂでの通行を許可し、ゲート通過後に、エリアＢ４において当該無線端末４０ａの端末ＩＤをアンテナ７４が読み取り、この端末ＩＤがサーバ３０に記憶されている端末ＩＤと一致した場合に、改札情報の更新を行うようにしている。また、出場用ゲート１０ｂ，１０ｃに対しては、ゲートを通過する前にエリアＢ４においてアンテナ７４が読み取った無線端末４０ｂの改札情報に基づいて、サーバ３０で出場用ゲート１０ｂ，１０ｃの通行可否を判定し、ゲート通過時には、エリアＡ２においてアンテナ１４で無線端末４０ｂの端末ＩＤだけを読み取って、この端末ＩＤが通行可と判定された無線端末４０ｂの端末ＩＤであれば出場用ゲート１０ｂ，１０ｃでの通行を許可し、ゲート通過後に、エリアＢ５において当該無線端末４０ｂの端末ＩＤをアンテナ８４が読み取り、この端末ＩＤがサーバ３０に記憶されている端末ＩＤと一致した場合に、改札情報の更新を行うようにしている。このため、入場・出場のいずれの場合も、エリアＡ１，Ａ２やエリアＢ４，Ｂ５においてゲート１０を通過する意思のない利用者の無線端末と通信が行われたとしても、利用者がゲート１０を通過しない限り改札情報の更新は行われないので、誤って改札情報が更新されるのを未然に防止することができる。
【００７０】
また、エリアＢ４，Ｂ５が、ゲート１０に出入する複数の利用者の各無線端末４０ａ，４０ｂから端末ＩＤや改札情報を受信できるように、エリアＡ１，Ａ２より広くなっているとともに、通行可と判定された無線端末４０ａ，４０ｂの端末ＩＤと更新改札情報とが、サーバ３０の記憶部３２に関連付けて記憶されていることから、ゲートの数が多くなってもアンテナ７４，８４はぞれぞれ１つ（もしくは数個）設けるだけでよく、各ゲートにアンテナ７４，８４を個別に設ける必要がない。しかも、アンテナ７４，８４は、いずれも、入場用ゲート１０ａ，１０ｂと出場用ゲート１０ｂ，１０ｃの出入口付近にまたがってエリアＢ４，Ｂ５を形成して、ゲート通過前の事前処理（通行可否判定）と、ゲート通過後の事後処理（改札情報更新）の両方を行うので、事前処理用の通信手段と事後処理用の通信手段とを別々に設ける必要もない。このため、コストを抑制して安価に実現することができる。さらに、改札情報の更新処理を待つことなく、ゲート１０での通行許可または通行禁止の処理を前倒しで行えるので、迅速な処理が可能となる。
【００７１】
上述した実施形態では、独立したサーバ３０を設けた例を示したが、事後処理通信部２０，５０、事前処理通信部６０、あるいは事前／事後処理通信部７０，８０にサーバの機能を持たせることによって、サーバ３０を省略することも可能である。
【００７２】
また、上記実施形態においては、非接触媒体として無線端末４０，４０ａ，４０ｂを例に挙げたが、非接触媒体は無線端末に限らず、非接触カードのような媒体であってもよい。また、非接触媒体は電波による無線通信を行うものに限らず、例えば光による無線通信を行うものであってもよい。
【００７３】
さらに、上記実施形態においては、本発明を駅のゲートシステムに適用した例を挙げたが、本発明は、イベント会場のゲートシステムや、高速道路の料金徴収所におけるゲートシステムなどにも適用することができる。
【図面の簡単な説明】
【００７４】
【図１】第１の発明に係るゲートシステムの実施形態を示す概略構成図である。
【図２】図１のゲートシステムの電気的構成を示したブロック図である。
【図３】無線端末の電気的構成を示したブロック図である。
【図４】無線端末の記憶部に記憶されているチケットデータと、各データに対するアクセス権とを示した図である。
【図５】図１のゲートシステムにおける基本的な処理手順を説明する図である。
【図６】ゲート通過時の処理手順を示すフローチャートである。
【図７】ゲート通過後の処理手順を示すフローチャートである。
【図８】第１の発明に係るゲートシステムの他の実施形態を示す概略構成図である。
【図９】図８のゲートシステムの電気的構成を示したブロック図である。
【図１０】図８のゲートシステムにおける基本的な処理手順を説明する図である。
【図１１】ゲート通過時の処理手順を示すフローチャートである。
【図１２】ゲート通過後の処理手順を示すフローチャートである。
【図１３】第２の発明に係るゲートシステムの実施形態を示す概略構成図である。
【図１４】図１３のゲートシステムの電気的構成を示したブロック図である。
【図１５】無線端末の記憶部に記憶されているチケットデータと、各データに対するアクセス権とを示した図である。
【図１６】図１３のゲートシステムにおける基本的な処理手順を説明する図である。
【図１７】事前処理の手順を示すフローチャートである。
【図１８】ゲート通過時の処理手順を示すフローチャートである。
【図１９】事後処理の手順を示すフローチャートである。
【図２０】第３の発明に係るゲートシステムの実施形態を示す概略構成図である。
【図２１】図２０のゲートシステムの電気的構成を示したブロック図である。
【図２２】図２０のゲートシステムにおける基本的な処理手順を説明する図である。
【図２３Ａ】事前／事後処理の手順を示すフローチャートである。
【図２３Ｂ】図２３Ａの続きのフローチャートである。
【図２３Ｃ】図２３Ａの続きのフローチャートである。
【図２４】ゲート通過時の処理手順を示すフローチャートである。
【符号の説明】
【００７５】
１０，１０ａ，１０ｂ，１０ｃ  ゲート
１３，２３，５３，６３，７３，８３  リードライト部
１４，２４，５４，６４，７４，８４  アンテナ
２０  事後処理通信部
２１，３１，５１，６１，７１，８１  ＣＰＵ
３０  サーバ
３２  記憶部
４０，４０ａ，４０ｂ  無線端末
５０  事後処理通信部
６０  事前処理通信部
７０，８０  事前／事後処理通信部
Ａ，Ａ１，Ａ２，Ｂ，Ｂ１〜Ｂ５  エリア（通信領域）
Ｐ，Ｐ１，Ｐ２  利用者
Ｚ，Ｚ１，Ｚ２  通路
【図１】
0004815965.tif 000002
【図２】
0004815965.tif 000003
【図３】
0004815965.tif 000004
【図４】
0004815965.tif 000005
【図５】
0004815965.tif 000006
【図６】
0004815965.tif 000007
【図７】
0004815965.tif 000008
【図８】
0004815965.tif 000009
【図９】
0004815965.tif 000010
【図１０】
0004815965.tif 000011
【図１１】
0004815965.tif 000012
【図１２】
0004815965.tif 000013
【図１３】
0004815965.tif 000014
【図１４】
0004815965.tif 000015
【図１５】
0004815965.tif 000016
【図１６】
0004815965.tif 000017
【図１７】
0004815965.tif 000018
【図１８】
0004815965.tif 000019
【図１９】
0004815965.tif 000020
【図２０】
0004815965.tif 000021
【図２１】
0004815965.tif 000022
【図２２】
0004815965.tif 000023
【図２３Ａ】
0004815965.tif 000024
【図２３Ｂ】
0004815965.tif 000025
【図２３Ｃ】
0004815965.tif 000026
【図２４】
0004815965.tif 000027